(57)【要約】構成可能なテーブル状フォーム・エディタ（１９）を含む医療画像及びデータシステムであり、前記エディタ（１９）は多数セル（３４，３５、３６、３７）に分割されたテーブル（３５）を作成する。データ選択メニュー（２９）は、セル（３４）がマウスタイプのポインティング・デバイスによりハイライトされる場合に現れる。リアルタイムデータは選択されたセルに挿入され、セル（４６）はマニュアルでユーザによってリサイズされ、これにより隣接するセル（４５）は自動的に寸法を変えられてこの他のセル（４５）内のデータと同様にマニュアルでリサイズされたセル（４６）に適応する。大きな多数セルテーブル（４４）はフレキシブルなフォーム・メニュー（１０）を使用することによって作成される。データは多数セルテーブル（６５）に挿入され、この多数セルテーブル（６５）自体は他のテーブルのセルに挿入される。全てのセル及びデータ選択はマウス・ポインティング・デバイスによって行われる。
2004514213.tif 000002
【特許請求の範囲】
【請求項１】
情報の表示をユーザの制御の下でデザインするためのコンピュータシステムにおける方法において、該方法は以下のステップを含む、すなわち、
（ａ）テーブル状フォーマットを選択するためにユーザから指示を受け取るステップ、
（ｂ）ステップ（ａ）に応答してユーザにデータ選択のメニューを表示し、前記データ選択のメニューはテーブル状フォーマットの部分内に置かれるステップ、
（ｃ）データ選択の表示を可能にするためにテーブル状フォーマットの部分の寸法を調整するステップを含む、情報の表示をユーザの制御の下でデザインするためのコンピュータシステムにおける方法。
【請求項２】
さらに、マニュアル・ポインティング・デバイスを介してユーザから指示を受け取るステップを含む、請求項１記載の方法。
【請求項３】
さらに、
テーブル状フォーマットの第１の選択された部分内で可能な表示のために第１の波形を表現するエントリを含むデータ選択メニューをユーザに表示するステップ、
テーブル状フォーマットの第１の選択された部分内で第１の波形を表示するためにユーザから指示を受け取るステップ、
テーブル状フォーマットの第１の選択された部分内で可能な表示のために第２の波形を表現するエントリを含むデータ選択メニューをユーザに表示するステップ、
テーブル状フォーマットの第１の選択された部分内で第２の波形を表示するためにユーザから指示を受け取るステップ、
テーブル状フォーマットの第１の選択された部分内で第２の波形にスーパーインポーズされた第１の波形を同時に表示するステップを含む、請求項１記載の方法。
【請求項４】
さらに、テーブル状フォーマットの各々選択された部分に対して可能な背景色選択をリストする色選択メニューをユーザに表示するステップを含む、請求項１記載の方法。
【請求項５】
さらに、全ての以前のユーザ選択が将来の使用のために保存される領域を表示するファイルネーム選択メニューをユーザに表示するステップを含む、請求項１記載の方法。
【請求項６】
表示指定方法において、該方法は以下のステップを含む、すなわち、
（ａ）各々複数のセルを有する所定のテーブルの画像セットを表示するステップ、
（ｂ）所定のテーブルのうちの１つを選択するステップ、
（ｃ）所定のテーブルを表示するステップ、
（ｄ）所定のテーブル内に現れる各セルのためのデータ選択メニューを表示するステップ、
（ｅ）少なくとも１つのセルのためにデータ選択メニューから１つのデータセットを選択するステップ、
（ｆ）ステップ（ｅ）の選択に応答して見やすいデータ表示を可能にするためにいくつかのセルの寸法を調整するステップを含む、表示指定方法。
【請求項７】
さらに、
選択されたテーブル内のセルの境界の上にマニュアル・ポインティング・デバイスのインジケータを位置決めするステップ、
前記インジケータが存在するセルの境界を選択するステップ、
所望の位置に前記インジケータを移動させるステップ、
新しいセル境界位置を定めるために所望の位置を選択するステップを含む、請求項６記載の方法。
【請求項８】
さらに、
選択されたテーブル内の少なくとも２つのセルを含む列の境界の上にマニュアル・ポインティング・デバイスのインジケータを位置決めするステップ、
前記インジケータが存在する列の境界を選択するステップ、
所望の位置に前記インジケータを移動させるステップ、
新しい列境界位置を定めるために所望の位置を選択するステップ、
新しい列境界位置に接するように列内でセルの寸法を変えるステップを含む、請求項６記載の方法。
【請求項９】
医療データを表示するコンピュータ化された方法において、
リアルタイム医療データの少なくとも第１及び第２のストリームを獲得し、
多数セルを有するテーブルを表示し、
テーブル内の第１のセルを選択するためにマニュアル・ポインティング・デバイスを操作し、
第１のデータストリームを前記第１のセルに挿入し、
テーブル内の第２のセルを選択するためにマニュアル・ポインティング・デバイスを操作し、
第２のデータストリームを前記第２のセルに挿入する、医療データを表示するコンピュータ化された方法。
【請求項１０】
さらに、テーブル内のセルを選択することに関して表示選択メニューを表示するステップを含む、請求項９記載の方法。
【請求項１１】
さらに、表示選択メニューに関連してデータ及びセルの外観の選択サブメニューをリストするステップを含む、請求項１０記載の方法。
【請求項１２】
さらに、表示されたテーブルを保存するステップ、
多数セルを有する第２のテーブルを作成するステップ、
保存されたテーブルを前記第２のテーブルのセルに挿入するステップを含む、請求項１１記載の方法。
【請求項１３】
さらに、インターネット接続に応答して生成された表示を第２のテーブルのセルに挿入するステップを含む、請求項１２記載の方法。
【発明の詳細な説明】
【０００１】
関連出願との相互参照
本出願は暫定的な出願シリアルナンバー６０／２４９５７１及び６０／２４９８２９に基づく非暫定的出願である。
【０００２】
本発明の分野
本発明は様々なタイプの医療データの同時表示のためのユーザにより構成可能なスクリーン表示に関する。
【０００３】
本発明の背景
ヘルスケア施設は、大抵の場合、臨床及び患者マネージメントデータの両方を含む大量の患者情報を所有している。患者情報は、患者の状態、検査室検査結果、専門及び自動アセスメント及び治療のアドミニストレーションに関する多くのパラメータを含みうる。コンピュータの利用可能性は結果的にコンピュータ・イメージング及びデータ処理における進歩をもたらし、この進歩は超音波、Ｘ線及びリアルタイム患者バイタル・サインのような多くのビデオベースの医療画像の供給を可能にした。
【０００４】
ワシントン州レイモンドのマイクロソフト社は多様なマイクロソフト・ウィンドウズ・ソフトウェア・パッケージを開発し、これらのマイクロソフト・ウィンドウズ・ソフトウェア・パッケージは、「ウィンドウ」と呼ばれるコンピュータスクリーン上の領域、画像又は他のデータを表示できる領域を作成及び操作するためのソフトウェアを提供する。ウィンドウは単一のスクリーン上で定義され表示される矩形の領域であり、これらのウィンドウは部分的に又は完全に利用可能なスクリーン領域を充たし、場合によっては互いに重なり合い、これにより特定のウィンドウ内の幾つかの情報を覆い隠してしまう。ウィンドウは利用可能なスクリーン領域よりもサイズにおいて大きいことさえもあり、これによりその内容全体を見るためにはこのウィンドウを移動させることが必要となってしまう。
【０００５】
ウィンドウズベースのソフトウェアはシングル・スクリーン・ワークステーション又はデバイスで情報を見るための広く普及したスタンダードである。イメージ・アンド・データ・ビューイング（ｉｍａｇｅ ａｎｄ ｄａｔａ ｖｉｅｗｉｎｇ）に関連して、ユーザは一度に複数の関連した情報のセットを見ることを所望するだろう。強固な患者情報データベースを作成しようというどんな試みも大量の利用可能なデータ及びそのデータのほんの一部を見ようとする特定のヘルスケア専門家の要求によって阻止されてしまう。スクリーンの乱雑さを最小化しようとする努力において所望のパラメータが全く利用できないかもしれない。データ表示問題を処理するための様々な技術が開示されている。
【０００６】
例えば、米国特許第５６８２５２６号明細書、タイトル：ＭＥＴＨＯＤ ＡＮＤ ＳＹＳＴＥＭ ＦＯＲ ＦＬＥＸＩＢＬＹ ＯＲＧＡＮＩＺＩＮＧ， ＲＥＣＯＲＤＩＮＧ ＡＮＤ ＭＥＤＩＣＡＬ ＰＡＴＩＥＮＴ ＣＡＲＥ ＩＮＦＯＲＭＡＴＩＯＮ ＵＳＩＮＧ ＦＩＥＬＤＳ ＩＮ Ａ ＦＬＯＷ ＳＨＥＥＴ， ｉｓｓｕｅｄ Ｏｃｔ． ２８， １９９７ ｔｏ Ｓｍｏｋｏｆｆ ｅｔ ａｌ． は１つのこのような技術を開示している。この特許において開示されたシステムは中央患者データ蓄積施設を含み、この中央患者データ蓄積施設には患者情報が蓄積され、様々なデータ・ユーザ・プロファイルも構成される。ユーザ・プロファイルによって、特定のヘルスケア専門家は特定のパラメータを見て、特定の時間に収集されかつ収集されている他のデータとの何らかの関連を有するデータを示すフローシートを定義することができる。例えば、所与の時間間隔で観察された患者の咳の状態ならびにデメロールのような薬が投与された時間、与えられた投薬量及び観察された胸部音のような他の治療情報を示すテーブルが作成される。提供される情報はテクストとしてのみスクリーンに表示され、現時点の観察に関する付加テクストはワークステーションのキーボードを介して入力される。
【０００７】
画像セットを表示するシステムは、米国特許第５８０５１１８号明細書、タイトル：ＤＩＳＰＬＡＹ ＰＲＯＴＯＣＯＬ ＳＰＥＣＩＦＩＣＡＴＩＯＮ ＷＩＴＨ ＳＥＳＳＩＯＮ ＣＯＮＦＩＧＵＲＡＴＩＯＮ ＡＮＤ ＭＵＬＴＩＰＬＥ ＭＯＮＩＴＯＲＳ， ｉｓｓｕｅｄ ｔｏ Ｍｉｓｈｒａ ｅｔ ａｌ．に開示されている。この特許は、例えば放射線医学の分野で必要とされるような多数の画像を見るためのシステムを開示している。使用されるモニタの数、表示される画像の数及びどの画像が同時に示されるべきかを含むワークステーション・ビューイング・モードの有限セットが定義される。特定の「セッション・タイプ」が予め定義され、この特定の「セッション・タイプ」は脊髄検査又は腹部検査のような特定のユーザ要求に対応する。
【０００８】
「ユーザ・トゥ・セッション・データベース（ｕｓｅｒ ｔｏ ｓｅｓｓｉｏｎ ｄａｔａｂａｓｅ）」は、自らがアクセスしようと試みているセッション名に対する特定の構成ファイルをユーザが予め定義したかを決定するために使用される。ユーザには利用可能な画像セッションのパレットがオファーされる。レイアウト上の制約は、自らが観察したいと望む画像の特定の数を選択するユーザ及び利用可能なモニタの個数及びサイズに基づく。Ｍｉｓｈｒａ ｅｔ ａｌ． のソフトウェアはこれが完遂されるかどうか又はどうすれば最も良くこれが完遂されるかを計算する。幾つかのケースでは、画像をどうしても同時的にではなくシーケンシャルに見ることになり、又は、単一の画像が多数のモニタに亘って拡大されることもある。
【０００９】
大量のデータを同時に見るために使用される別のシステムは、米国特許第５９６６１３９号明細書、タイトル：ＳＣＡＬＡＢＬＥ ＤＡＴＡ ＳＥＧＭＥＮＴＡＴＩＯＮ ＡＮＤ ＶＩＳＵＡＬＩＺＡＴＩＯＮ ＳＹＳＴＥＭ， ｉｓｓｕｅｄ ｔｏ Ａｎｕｐａｍ ｅｔ ａｌ．に開示されている。Ａｎｕｐａｍシステムでは単一のスクリーンが各々別個のグラフィカルデータを含む多数の同一の矩形又はノードに分割されている。データはリアルタイムで提示されないが、関連するグラフ間のスケーリングはほぼリアルタイムでスケーリングされ、この結果、隣接するノード間の比較が若干の意味を有する。このシステムの目的は、専門技術を持つ観察者にトレンド、ピーク及び相対的安定性又は不活発性の期間を検出することを可能にする関連データの同時的な検査を可能にすることである。個々のノードを制限内で選択し拡大することができ、この結果、そのデータをより容易に見ることができる。
【００１０】
医療画像表示スキームの最後の例は、米国特許第５９８７３４５号明細書、タイトル：ＭＥＴＨＯＤ ＡＮＤ ＳＹＳＴＥＭ ＦＯＲ ＤＩＳＰＬＡＹＩＮＧ ＭＥＤＩＣＡＬ ＩＭＡＧＥＳ， ｉｓｓｕｅｄ ｔｏ Ｅｎｇｅｌｍａｎｎ ｅｔ ａｌ．に開示されている。多数の解剖学的画像が一定期間に亘って撮影される場合に、画像を重ね合わせ、デジタルに結合又は減算し、これにより写真間の変化をハイライトさせることによってシーケンシャルな写真が比較される。このようにして、なんらかの異常な状態の広がり又は後退がよりたやすく識別される。スクリーンの領域はそのサイズ及び配置において固定されており、データはリアルタイムでは提示されない。データは特定の写真データに限定され、統合された表示部分としてのテクスト又は計測情報を含まない。
【００１１】
発明の短い要約
本発明の原理によれば、グラフィカル・ユーザ・インターフェースは単一のコンピュータ・スクリーン上にユーザにより選択可能な多数の個別のタイル又はセルを表示する能力を含む。各セル内で、ユーザは表示される情報を選択することができる。医療的コンテクストでは、その情報はアラーム・モニタ、リアルタイムな生理学的パラメータ、写真画像、ビデオデータ又はウェブブラウザを含み得る。各セル内に表示される情報は大抵の場合マウスタイプのポインティング・デバイスによるメニューのセレクションから選択される。
【００１２】
ウィンドウ・セル又は「フォーム」レイアウトが最初に選択された後で、個々のセルは拡大又は縮小することができ、それらのアスペクト比は変化されうる。各セルの背景色を選択することができる。患者の心拍数のようなグラフィカルデータを特定のセルにおける表示のために選択でき、患者の呼吸数のような付加的なグラフィカルデータを同一のセルにおける表示のために選択でき、これにより２つのグラフが共通の時間軸に沿ってスーパーインポーズされる。ウィンドウ・セル・レイアウトは例えば他のパラメータと一緒に心拍数及び血圧の数字読み出しのようなリアルタイム・テクスト・データに専ら向けられる。このようなウィンドウ・セル配置又はフォームは次いでそっくりそのまま第２のフォームの単一セルの中に挿入され得る。
【００１３】
特定のウィンドウ・セル又はフォーム構成及びユーザにより選択されるこれらのコンテンツは所与のヘルスケア専門家、患者又は治療プロトコルの名の下に保存され得る。こうして、情報の特定のプレゼンテーションが所与の人物又は状況にとって最適であると一度見なされると、なんらかのカスタマイズされたセットアップの必要なしにそれが素速くリコールされる。一度リコールされても、なおも表示を修正してよく、セルの改変の後で保存されるか又は放棄される。
【００１４】
スタンダードなマイクロソフト・ウィンドウズ環境が、セル・レイアウト、メニュー・セレクション及びマウス・ポインティング・デバイスの操作をインプリメントする際に使用され、これによってパーソナル・コンピュータの操作に既に親しんでいる人ならだれにとっても本発明の使用は簡単である。
【００１５】
図面の簡単な記述
図面では：
図１は、グラフィカル・ユーザ・インターフェース・フレキシブル・フォーム・セレクション・ウィンドウの概略図であり、
図２は、図１に示されたセレクション・ウィンドウからの選択によって生成されるセルのテーブルの概略図であり、
図３は、セルのうちのいくつかになにかの表示をふくんでいるセルのテーブルにおいて１つのセルが寸法変更のために選択されたところを示す概略図であり、
図４は、１つのセルの寸法が変更された後の図３に示されたテーブルの概略図であり、
図５は、１つの列の全てのセルが寸法変更のために選択されている、セルのテーブルの概略図であり、
図６は、選択された列における全てのセルが寸法変更された後の図５に示されたセルのテーブルの概略図であり、
図７は、セルが修正のために選択された、セルのテーブルの概略図であり、
図８は、修正のために選択されたセルにおいて付加的な波形がスーパーインポーズされた、図７に示されたセルのテーブルの概略図であり、
図９は、個々のセルの内容を選択するために使用されるグラフィカル・ユーザ・インターフェース・メニューの概略図であり、
図１０は、選択されたセルの中の図のようなものが置き換えられた後の図３に示されたテーブルの概略図であり、
図１１は、セルのうちの２つがハイライトされた後の図３に示されたテーブルの概略図であり、
図１２は、修正のために選択された１つのセルを示す第１のユーザのために最適化されたセルのテーブルの概略図であり、
図１３は、第２のユーザのために最適化された後の図１３に示されたセルのテーブルの概略図であり、
図１４は、テクストによる値のテーブルとして構成された第１のフォームの概略図であり、
図１５は、テクストによる値のテーブルとして構成された第２のフォームの概略図であり、
図１６は、図１４及び１５に示されたフォームが挿入された、第３のフォームの概略図であり、
図１７は、４つのセル構成を示すある一定の共通セル・レイアウト及びセル・コンテンツを選択するための「ディスプレイ・エディタ」グラフィカル・ユーザ・インターフェースの概略図であり、
図１８は、単一セル構成を示す図１７に示された「ディスプレイ・エディタ」グラフィカル・ユーザ・インターフェースの概略図であり、
図１９は、特定のフォーム・レイアウトを将来の使用のために保存することを可能にするグラフィカル・ユーザ・インターフェースの概略図である。
【００１６】
発明の詳細な記述
図１は、ユーザに基本的なテーブル状フォーマットを選択することを可能にするグラフィック・ユーザ・インターフェース１０の概略図である。列セレクタ・ボックス１１は、直接的に所望の列の数をキーボードを介して入力するか又は選択矢印１２と関連してマウスタイプのポインティング・デバイスを使用することによって入力するかのいずれかをユーザに可能にする。同様に、行の数が行セレクタ・ボックス１３内で選択される。図示された例では、ＯＫボックス１４を選択することによって、図２に示されているような４行４列のテーブル１５が得られる。この特定の構成は標準テーブルとして「デフォルトとして設定」ボックス１６を選択することによって選択され得る。インターフェース１０は「キャンセル」ボックス１７を選択するか又は「Ｘ」ボックス９をクリックすることによってスクリーンから除去される。ヘルプ・メニューは「？」ボックス８を選択することによって利用可能である。
【００１７】
「ブラウズ」選択ボックス１８によってユーザはより大きな多数列及び多数行プロトコルから変化する他のテーブル状フォーマットを選択することが可能である。選択に対して利用可能な代替的なテーブルのタイプの例は、図１８に「ディスプレイ・エディタ」インターフェース１９として図示されている。ここに図示された特定の例では、ハイライトされたテーブル・セレクション２０が単一の矩形２１を作成する。
【００１８】
２列１行テーブル２２、２行１列テーブル２３及び２行２列テーブル２４を含む他のテーブル・フォーマットはこの特定のインターフェース１９において可能である。第１列が１つの行を有し、第２列が２つの行を有するテーブル２５を含むより手の込んだ非対称テーブルもインターフェース１９を介して選択できる。テーブル２６はテーブル２５の鏡像対称画像である。テーブル２７は２つの列を有する第１行とただ１つの列を有する第２行とを含む。テーブル・セレクション２８はテーブル２７の反転画像である。
【００１９】
表示された単一の矩形２１に対して、メニュー２９がこの矩形２１に隣接して又はこの矩形２１内に現れる。１つのセレクション「アラーム・モニタ」が示されているが、メニュー矢印３０を選択すると例えば「心拍数」、「呼吸」、「血圧」等々のような付加的なセレクションが作成される。付加的なセレクションのうちのいくつかは、より多くの選択を提供する付加的なサブメニューを作成し得る。メニュー選択が一度行われると、テーブルの構成が既存のファイルネームで「保存」ボックス３１を選択することによって保存されるか、又は、「別名で保存」ダイアログ・ボックス３２を選択することによって別のファイルネームで保存される。図１９に示されているように、ダイアログ・ボックス３２を選択することによって、メニュー７が表示される。メニュー７は多数のファイル・ボタン・バー１、２、３、４等々を含む。新しいファイネームでテーブル構成を保存するためには、ボックスを選択し、キーボードを介してファイルネームを入力する。「保存」ダイアログ・ボックス５を選択すると、ファイルネーム及び関連付けられたテーブルのビューが保存される。
【００２０】
テーブル・フォーマット２４を選択する効果が図１７に図示されている。４つの個別セル３４、３５、３６及び３７を有する２列２行テーブル３３が作成されている。各セルは関連付けられたメニュー・ボックスを有する。例えば、メニュー２９は今や隣接する矩形３４に対応する。新しいメニュー３８は矩形３５に関連付けられ、選択「カスタム表示」、「全てのリードを表示」、「全てのパラメータを表示」、「ＦＶ及びＰＶループ」及び「計算」を含む。これらのセレクションが全てではなく、矩形３５で表示できるデータのタイプの例にすぎない。例えば、矩形３６に関連付けられたメニュー３９は付加的なメニュー選択「トレンド・テーブル」を含む。さらに、ワードプロセッサ又はインターネットブラウザのようなマイクロソフト・ウィンドウズ・オペレーティング・システムと共通に利用可能なプログラムにより生成される出力表示を特定の矩形における表示に対して選択することが可能である。
【００２１】
以前にセレクトされたテーブル・フォーマットを選択し、将来の使用のためにそれを保存した「ディスプレイ・エディタ」１９のユーザは「ビューを開く」ダイアログ・ボックス４０を介してそのフォーマットを迅速にリコールすることができる。矢印４１を選択することにより図１９に図示されたのと類似のファイル・ネームのメニューが作成される。一度所望のファイル・ネームがハイライトされると、「適用」ボタン４２を選択することによって選択されたファイル構成が表示される。
【００２２】
「カスタム表示」セレクション５０が選択されると、選択された全テーブルフォーマットに関わらず、セル又は矩形３７の多数の付加的な操作が可能である。イメージング、ホスピタル情報システム、チャーティング・システム、ＥＣＧ解析及び（ワードプロセッシング又はウェブブラウジング・プログラムのような）サード・パーティ・アプリケーションからの表示画像を矩形の中に挿入することができる。セル又は矩形の固有の操作は図２に示されており、そこではマウス・ポインティング・デバイスを選択されたセル６の上に移動させることによってこのセルがハイライトされる。図９に示されているような関連付けられたメニュー４３が現れ、このメニュー４３が所望のデータの挿入を可能にする。
【００２３】
一度データが１つ以上のセルに挿入されると、更なる操作が可能である。図３に示されているように、データはテーブル４４の３つの異なるセルに置かれている。第１のセル４５は選択されたセンサからのリアルタイム・レート・データを含み、第２のセル４６はリアルタイム心拍数波形を含み、第３のセル４７はＰＶループ・ダイアグラムを含む。テーブル４４のユーザがセル４６の波形データを拡大しようとするならば、これは暗くされ拡大されたコーナー４８により示されているようにセルをまず最初にハイライトすることによって行われる。図４に示されているように、セル４６は図示されているように簡単にマウスタイプのポインティング・デバイスにより水平方向に垂直線４９をドラッグすることによって拡大される。セル４５のデータは自動的に圧縮されてセル４５の小さくなった幅を補償する。
【００２４】
図５及び６はどのようにセルの列全体が同時に拡大されるかを示している。テーブル４９は３つのデータを含むセル５０、５１及び５２を含み、後の２つは同じ列５３に存在している。列５３はマウス・デバイスによってハイライトされており、垂直線５４及び５５は水平方向にドラッグされて図６に示されたより広い列５３を作成する。セル５０のデータは自動的に圧縮されて列５３の増大した幅を補償する。
【００２５】
図７も参照すると、拡大された第１行５７を有するテーブル５６が示されており、この第１行５７はセル５８及び５９にリアルタイム・データを含んでいる。セル５９は心拍数波形を含む。ユーザはメニュー４３から「付加」コマンドを選択し、次いでメニュー６１から「波形」セレクションを選択し、「波形」を選択した後で現れる次のメニュー６０から心拍数、ＳｐＯ２、ＡＲＴ等々のような所望の波形を選択することによって、第２の波形をセル５９に加えることができる。図８は同じセル５９に存在する２つのスーパーインポーズされたＨＲ及びＡＲＴ波形を図示している。
【００２６】
「置換」及び「削除」機能は図３と図１０とを比較することによって理解することができる。図３に示された表示のユーザはセル４７のデータを削除し、セル４６のデータをセル４７の先のデータと置換することを所望する。セル４７は最初にハイライトされ、これによりメニュー４３が現れる。「削除」コマンドが選択され、「ＰＶループ」データが除去される。次にセル４６がハイライトされ、「置換」コマンドがメニュー４３から選択される。次いでメニュー６１が現れて「ループ」が選択され、これにより「ループ」メニュー６２が現れ、この「ループ」メニュー６２からＰＶが選択される。これらの選択の結果が図１０に示されている。
【００２７】
付加的なセル操作が可能である。図１１は、セル４５及び４６がメニュー４３に示された「色」コマンドの使用によりハイライトされた後の、図３に示されたテーブル４４を図示している。図１２は第１のユーザにより選択されたかもしれないテーブル６３のデータの配置を図示しており、この第１のユーザは図１９に図示されたメニュー７を介してこの構成を格納した。図１３は第２のユーザにより選択されるような異なるセルを有するテーブル６４に表示された同一のデータを図示している。この第２のユーザもテーブル６４におけるセルの数及び寸法を変更している。
【００２８】
図１４は図１に示されたユーザ・インターフェース１０により作成された７行６列テーブル６５を図示する。いくつかのセル内にはユーザが図９に図示されているような「パラメータ」コマンド及びその関連付けられたサブメニューを選択することによって様々なパラメータを置いている。図１５はパラメータデータの３つのセルを含む３行１列テーブル６６を図示している。図１６は多数のセルを有するテーブル６７を図示している。テーブル６５及び６６は、図９のメニュー４３及び６１から「付加」及び「テーブル」コマンドを選択することによってテーブル６７に挿入されている。
【図面の簡単な説明】
【図１】
グラフィカル・ユーザ・インターフェース・フレキシブル・フォーム・セレクション・ウィンドウの概略図である。
【図２】
図１に示されたセレクション・ウィンドウからの選択によって生成されるセルのテーブルの概略図である。
【図３】
セルのうちのいくつかになにかの表示をふくんでいるセルのテーブルにおいて１つのセルが寸法変更のために選択されたところを示す概略図である。
【図４】
１つのセルの寸法が変更された後の図３に示されたテーブルの概略図である。
【図５】
１つの列の全てのセルが寸法変更のために選択されている、セルのテーブルの概略図である。
【図６】
選択された列における全てのセルが寸法変更された後の図５に示されたセルのテーブルの概略図である。
【図７】
セルが修正のために選択された、セルのテーブルの概略図である。
【図８】
修正のために選択されたセルにおいて付加的な波形がスーパーインポーズされた、図７に示されたセルのテーブルの概略図である。
【図９】
個々のセルの内容を選択するために使用されるグラフィカル・ユーザ・インターフェース・メニューの概略図である。
【図１０】
選択されたセルの中の図のようなものが置き換えられた後の図３に示されたテーブルの概略図である。
【図１１】
セルのうちの２つがハイライトされた後の図３に示されたテーブルの概略図である。
【図１２】
修正のために選択された１つのセルを示す第１のユーザのために最適化されたセルのテーブルの概略図である。
【図１３】
第２のユーザのために最適化された後の図１３に示されたセルのテーブルの概略図である。
【図１４】
テクストによる値のテーブルとして構成された第１のフォームの概略図である。
【図１５】
テクストによる値のテーブルとして構成された第２のフォームの概略図である。
【図１６】
図１４及び１５に示されたフォームが挿入された、第３のフォームの概略図である。
【図１７】
４つのセル構成を示すある一定の共通セル・レイアウト及びセル・コンテンツを選択するための「ディスプレイ・エディタ」グラフィカル・ユーザ・インターフェースの概略図である。
【図１８】
単一セル構成を示す図１７に示された「ディスプレイ・エディタ」グラフィカル・ユーザ・インターフェースの概略図である。
【図１９】
特定のフォーム・レイアウトを将来の使用のために保存することを可能にするグラフィカル・ユーザ・インターフェースの概略図である。
【符号の説明】
１〜４　ファイル・ボタン・バー
５　「保存」ダイアログ・ボックス
７　メニュー
８　「？」ボックス
９　「Ｘ」ボックス
１０　グラフィック・ユーザ・インターフェース
１１　列セレクタ・ボックス
１２　選択矢印
１３　行セレクタ・ボックス
１４　ＯＫボックス
１５　４行４列テーブル
１６　「デフォルトとして設定」ボックス
１７　「キャンセル」ボックス
１８　「ブラウズ」選択ボックス
１９　「ディスプレイ・エディタ」インターフェース
２０　テーブル・セレクション
２１　単一の矩形
２２　２列１行テーブル
２３　２行１列テーブル
２４　２行２列テーブル
２５　テーブル
２６　テーブル
２７　テーブル
２８　テーブル・セレクション
２９　メニュー
３０　メニュー矢印
３１　「保存」ボックス
３２　「別名で保存」ダイアログ・ボックス
３３　２列２行テーブル
３４〜３７　個別セル
３８　メニュー
３９　メニュー
４０　「ビューを開く」ダイアログ・ボックス
４１　矢印
４２　「適用」ボタン
４３　メニュー
４４　テーブル
４５　第１のセル
４６　第２のセル
４７　第３のセル
４８　コーナー
４９　垂直線
５０　「カスタム表示」セレクション
５１〜５２　セル
５３　列
５４〜５５　垂直線
５６　テーブル
５７　拡大された第１行
５８〜５９　セル
６０　メニュー
６１　メニュー
６２　「ループ」メニュー
６３〜６７　テーブル
【図１】
2004514213.tif 000003
【図９】
2004514213.tif 000004
【図１７】
2004514213.tif 000005
【図１８】
2004514213.tif 000006
【図１９】
2004514213.tif 000007
【国際公開パンフレット】
2004514213.tif 000008
2004514213.tif 000009
2004514213.tif 000010
2004514213.tif 000011
2004514213.tif 000012
2004514213.tif 000013
2004514213.tif 000014
2004514213.tif 000015
2004514213.tif 000016
2004514213.tif 000017
2004514213.tif 000018
2004514213.tif 000019
2004514213.tif 000020
2004514213.tif 000021
2004514213.tif 000022
2004514213.tif 000023
2004514213.tif 000024
2004514213.tif 000025
2004514213.tif 000026
2004514213.tif 000027
2004514213.tif 000028
2004514213.tif 000029
2004514213.tif 000030
2004514213.tif 000031
2004514213.tif 000032
2004514213.tif 000033
2004514213.tif 000034
2004514213.tif 000035
2004514213.tif 000036
2004514213.tif 000037
【国際公開パンフレット（コレクトバージョン）】
2004514213.tif 000038
【国際調査報告】
2004514213.tif 000039
2004514213.tif 000040
2004514213.tif 000041